(57)【要約】  本願の実施例はページング方法、アクセスネットワーク装置、端末装置及びコアネットワーク装置を開示し、該方法は、第１アクセスネットワーク装置が端末装置のトラッキングエリアリストを取得することと、第１アクセスネットワーク装置が前記トラッキングエリアリストに基づき、前記第１アクセスネットワーク装置が前記端末装置に対してページングを開始する目標ページング領域を決定することと、を含む。本願の実施例の方法、アクセスネットワーク装置、端末装置及びコアネットワーク装置はアクセスネットワーク装置に合理的なページング領域を構成することに役立ち、それによりシグナリングオーバーヘッドを低減する。
2020534721.tif 000002
【特許請求の範囲】
【請求項１】
ページング方法であって、
第１アクセスネットワーク装置は端末装置のトラッキングエリアリストを取得することと、
第１アクセスネットワーク装置は前記トラッキングエリアリストに基づき、前記第１アクセスネットワーク装置が前記端末装置に対してページングを開始する目標ページング領域を決定することと、を含むことを特徴とするページング方法。
【請求項２】
前記方法は、更に、
送信すべき前記端末装置のダウンリンクデータがある場合、前記第１アクセスネットワーク装置が前記目標ページング領域において前記端末装置に対してページングを開始することを含むことを特徴とする請求項１に記載の方法。
【請求項３】
送信すべき前記端末装置のダウンリンクデータがある場合、前記第１アクセスネットワーク装置が前記目標ページング領域において前記端末装置に対してページングを開始することは、
前記端末装置が無線リソース制御（ＲＲＣ）非アクティブ状態にあり且つ送信すべきダウンリンクデータがある場合、前記第１アクセスネットワーク装置が前記目標ページング領域において前記端末装置に対してページングを開始することを含むことを特徴とする請求項２に記載の方法。
【請求項４】
前記第１アクセスネットワーク装置が端末装置のトラッキングエリアリストを取得することは、
前記第１アクセスネットワーク装置が前記端末装置及び／又はコアネットワーク装置から送信された前記トラッキングエリアリストを受信することを含むことを特徴とする請求項１〜３のいずれか１項に記載の方法。
【請求項５】
前記第１アクセスネットワーク装置が前記端末装置及び／又はコアネットワーク装置から送信された前記トラッキングエリアリストを受信する前に、前記方法は、更に、
前記第１アクセスネットワーク装置が前記端末装置及び／又は前記コアネットワーク装置へ前記トラッキングエリアリストの取得要求を送信することを含むことを特徴とする請求項４に記載の方法。
【請求項６】
前記第１アクセスネットワーク装置が前記端末装置から送信された前記トラッキングエリアリストを受信することは、
前記端末装置がトラッキングエリア更新又は付着過程を行うと、前記第１アクセスネットワーク装置が前記端末装置の取得した前記トラッキングエリアリストを受信することを含むことを特徴とする請求項４に記載の方法。
【請求項７】
前記第１アクセスネットワーク装置が前記端末装置から送信された前記トラッキングエリアリストを受信することは、
前記第１アクセスネットワーク装置がＲＲＣシグナリングを介して前記端末装置の取得した前記トラッキングエリアリストを受信することを含むことを特徴とする請求項４〜６のいずれか１項に記載の方法。
【請求項８】
前記第１アクセスネットワーク装置が端末装置のトラッキングエリアリストを取得することは、
前記端末装置にネットワークサービスを提供するアクセスネットワーク装置が第２アクセスネットワーク装置から前記第１アクセスネットワーク装置へ切り換えた場合、前記第１アクセスネットワーク装置が前記第２アクセスネットワーク装置から送信された前記トラッキングエリアリストを受信することを含むことを特徴とする請求項１〜３のいずれか１項に記載の方法。
【請求項９】
前記トラッキングエリアリストが前記端末装置のコンテクスト情報に含まれることを特徴とする請求項８に記載の方法。
【請求項１０】
前記方法は、更に、
前記端末装置が前記目標ページング領域から移し出すと決定する際に、前記第１アクセスネットワーク装置が前記端末装置にページング領域を再び構成するようにトリガーするために、前記第１アクセスネットワーク装置が前記端末装置へ前記目標ページング領域の情報を送信することを含むことを特徴とする請求項１〜９のいずれか１項に記載の方法。
【請求項１１】
ページング方法であって、
端末装置が前記端末装置のトラッキングエリアリストを取得することと、
第１アクセスネットワーク装置が前記第１アクセスネットワーク装置の前記端末装置に対してページングを開始する目標ページング領域を決定するために、前記端末装置が前記第１アクセスネットワーク装置へ前記トラッキングエリアリストを送信することと、を含むことを特徴とするページング方法。
【請求項１２】
前記端末装置が前記端末装置のトラッキングエリアリストを取得することは、
前記端末装置がトラッキングエリア更新又は付着過程を行うとき、前記トラッキングエリアリストを取得することを含むことを特徴とする請求項１１に記載の方法。
【請求項１３】
前記端末装置が第１アクセスネットワーク装置へ前記端末装置のトラッキングエリアリストを送信する前に、前記方法は、更に、
前記端末装置が前記第１アクセスネットワーク装置から送信された前記トラッキングエリアリストの取得要求を受信することを含むことを特徴とする請求項１１又は１２に記載の方法。
【請求項１４】
前記端末装置が第１アクセスネットワーク装置へ前記トラッキングエリアリストを送信することは、
前記端末装置が前記トラッキングエリアリストを取得すると、前記端末装置が前記第１アクセスネットワーク装置へ前記トラッキングエリアリストを送信することを含むことを特徴とする請求項１１又は１２に記載の方法。
【請求項１５】
前記端末装置が第１アクセスネットワーク装置へ前記トラッキングエリアリストを送信することは、
前記端末装置が無線リソース制御（ＲＲＣ）シグナリングを介して前記第１アクセスネットワーク装置へ前記トラッキングエリアリストを送信することを含むことを特徴とする請求項１１〜１４のいずれか１項に記載の方法。
【請求項１６】
前記方法は、更に、
前記端末装置がＲＲＣ非アクティブ状態にある場合、前記端末装置が前記第１アクセスネットワーク装置から送信された、送信すべき前記端末装置のダウンリンクデータがあることを示すためのページングメッセージを受信することを含むことを特徴とする請求項１１〜１５のいずれか１項に記載の方法。
【請求項１７】
前記方法は、更に、
前記端末装置が前記第１アクセスネットワーク装置から送信された前記目標ページング領域の情報を受信することと、
前記端末装置が前記目標ページング領域の情報に基づき、前記第１アクセスネットワーク装置が前記端末装置にページング領域を再び割り当てるようにトリガーすることと、を含むことを特徴とする請求項１１〜１６のいずれか１項に記載の方法。
【請求項１８】
ページング方法であって、
コアネットワーク装置が端末装置のトラッキングエリアリストを取得することと、
第１アクセスネットワーク装置が前記第１アクセスネットワーク装置の前記端末装置に対してページングを開始する目標ページング領域を決定するために、前記コアネットワーク装置が前記第１アクセスネットワーク装置へ前記トラッキングエリアリストを送信することと、を含むことを特徴とするページング方法。
【請求項１９】
前記コアネットワーク装置が第１アクセスネットワーク装置へ前記トラッキングエリアリストを送信する前に、前記方法は、更に、
前記コアネットワーク装置が前記第１アクセスネットワーク装置から送信された、前記トラッキングエリアリストを取得する情報を受信することを含むことを特徴とする請求項１８に記載の方法。
【請求項２０】
アクセスネットワーク装置であって、
前記アクセスネットワーク装置が第１アクセスネットワーク装置であり、前記アクセスネットワーク装置は、
端末装置のトラッキングエリアリストを取得するための取得ユニットと、
前記トラッキングエリアリストに基づき、前記第１アクセスネットワーク装置が前記端末装置に対してページングを開始する目標ページング領域を決定するための決定ユニットと、を備えることを特徴とするアクセスネットワーク装置。
【請求項２１】
前記アクセスネットワーク装置は、更に、
送信すべき前記端末装置のダウンリンクデータがある場合、前記目標ページング領域において前記端末装置に対してページングを開始するためのページングユニットを備えることを特徴とする請求項２０に記載のアクセスネットワーク装置。
【請求項２２】
前記ページングユニットは、具体的に、
前記端末装置が無線リソース制御（ＲＲＣ）非アクティブ状態にあり且つ送信すべきダウンリンクデータがある場合、前記目標ページング領域において前記端末装置に対してページングを開始することに用いられることを特徴とする請求項２１に記載のアクセスネットワーク装置。
【請求項２３】
前記取得ユニットは、具体的に、
前記端末装置及び／又はコアネットワーク装置から送信された前記トラッキングエリアリストを受信することに用いられることを特徴とする請求項２０〜２２のいずれか１項に記載のアクセスネットワーク装置。
【請求項２４】
前記アクセスネットワーク装置は、更に、
前記端末装置及び／又は前記コアネットワーク装置へ前記トラッキングエリアリストの取得要求を送信するための第１送信ユニットを備えることを特徴とする請求項２３に記載のアクセスネットワーク装置。
【請求項２５】
前記取得ユニットは、具体的に、
前記端末装置がトラッキングエリア更新又は付着過程を行うと、前記端末装置の取得した前記トラッキングエリアリストを受信することに用いられることを特徴とする請求項２３に記載のアクセスネットワーク装置。
【請求項２６】
前記取得ユニットは、具体的に、
ＲＲＣシグナリングを介して前記端末装置の取得した前記トラッキングエリアリストを受信することに用いられることを特徴とする請求項２３〜２５のいずれか１項に記載のアクセスネットワーク装置。
【請求項２７】
前記取得ユニットは、具体的に、
前記端末装置にネットワークサービスを提供するアクセスネットワーク装置が第２アクセスネットワーク装置から前記第１アクセスネットワーク装置へ切り換えた場合、前記第２アクセスネットワーク装置から送信された前記トラッキングエリアリストを受信することに用いられることを特徴とする請求項２０〜２２のいずれか１項に記載のアクセスネットワーク装置。
【請求項２８】
前記トラッキングエリアリストが前記端末装置のコンテクスト情報に含まれることを特徴とする請求項２７に記載のアクセスネットワーク装置。
【請求項２９】
前記アクセスネットワーク装置は、更に、
前記端末装置が前記目標ページング領域から移し出すと決定する際に、前記第１アクセスネットワーク装置が前記端末装置にページング領域を再び構成するようにトリガーするために、前記端末装置へ前記目標ページング領域の情報を送信するための第２送信ユニットを備えることを特徴とする請求項２０〜２８のいずれか１項に記載のアクセスネットワーク装置。
【請求項３０】
端末装置であって、
前記端末装置のトラッキングエリアリストを取得するための取得ユニットと、
前記第１アクセスネットワーク装置が前記第１アクセスネットワーク装置の前記端末装置に対してページングを開始する目標ページング領域を決定するために、第１アクセスネットワーク装置へ前記トラッキングエリアリストを送信するための送信ユニットと、を備えることを特徴とする端末装置。
【請求項３１】
前記取得ユニットは、具体的に、
トラッキングエリア更新又は付着過程を行うとき、前記トラッキングエリアリストを取得することに用いられることを特徴とする請求項３０に記載の端末装置。
【請求項３２】
前記端末装置は、更に、
前記第１アクセスネットワーク装置から送信された前記トラッキングエリアリストの取得要求を受信するための第１受信ユニットを備えることを特徴とする請求項３０又は３１に記載の端末装置。
【請求項３３】
前記送信ユニットは、具体的に、
前記端末装置が前記トラッキングエリアリストを取得すると、前記第１アクセスネットワーク装置へ前記トラッキングエリアリストを送信することに用いられることを特徴とする請求項３０又は３１に記載の端末装置。
【請求項３４】
前記送信ユニットは、具体的に、
無線リソース制御（ＲＲＣ）シグナリングを介して前記第１アクセスネットワーク装置へ前記トラッキングエリアリストを送信することに用いられる請求項３０〜３３のいずれか１項に記載の端末装置。
【請求項３５】
前記端末装置は、更に、
前記端末装置がＲＲＣ非アクティブ状態にある場合、前記第１アクセスネットワーク装置から送信された、送信すべき前記端末装置のダウンリンクデータがあることを示すためのページングメッセージを受信するための第２受信ユニットを備えることを特徴とする請求項３０〜３４のいずれか１項に記載の端末装置。
【請求項３６】
前記端末装置は、更に、
前記第１アクセスネットワーク装置から送信された前記目標ページング領域の情報を受信するための第３受信ユニットと、
前記目標ページング領域の情報に基づき、前記第１アクセスネットワーク装置が前記端末装置にページング領域を再び割り当てるようにトリガーするためのトリガーユニットと、を備えることを特徴とする請求項３０〜３５のいずれか１項に記載の端末装置。
【請求項３７】
コアネットワーク装置であって、
端末装置のトラッキングエリアリストを取得するための取得ユニットと、
第１アクセスネットワーク装置が前記第１アクセスネットワーク装置の前記端末装置に対してページングを開始する目標ページング領域を決定するために、前記第１アクセスネットワーク装置へ前記トラッキングエリアリストを送信するための送信ユニットと、を備えることを特徴とするコアネットワーク装置。
【請求項３８】
前記コアネットワーク装置は、更に、
前記第１アクセスネットワーク装置から送信された、前記トラッキングエリアリストを取得する情報を受信するための受信ユニットを備えることを特徴とする請求項３７に記載のコアネットワーク装置。
【発明の詳細な説明】
【技術分野】
【０００１】
本願の実施例は通信分野に関し、より具体的に、ページング方法、アクセスネットワーク装置、端末装置及びコアネットワーク装置に関する。
【背景技術】
【０００２】
ページングはネットワークが端末を探す際に行われるシグナリングプロセスであり、ネットワークにおいて着信者がページングによって応答しなければ、正常に通信できない。第５世代（５Ｇ）システムにおいて、端末のダウンリンクデータが到達する場合、無線アクセスネットワーク（ＲＡＮ、Ｒａｄｉｏ  Ａｃｃｅｓｓ  Ｎｅｔｗｏｒｋ）が端末に対してページングを開始してもよい。従って、ＲＡＮが適切なページング領域において端末に対してページングを開始することを可能にする方法が求められている。
【発明の概要】
【発明が解決しようとする課題】
【０００３】
これに鑑みて、本願の実施例はアクセスネットワーク装置に合理的なページング領域を構成することに役立つページング方法、アクセスネットワーク装置、端末装置及びコアネットワーク装置を提供する。
【課題を解決するための手段】
【０００４】
第１態様では、ページング方法を提供し、該方法は、第１アクセスネットワーク装置が端末装置のトラッキングエリアリストを取得することと、第１アクセスネットワーク装置が該トラッキングエリアリストに基づき、該第１アクセスネットワーク装置の該端末装置に対してページングを開始する目標ページング領域を決定することと、を含む。
【０００５】
アクセスネットワーク装置は端末装置のＴＡ  ｌｉｓｔを参照して１つのより適切なＲＡＮページングのためのページング領域を決定し、それによりシグナリングオーバーヘッドの低減に役立つ。
【０００６】
可能な実現方式では、該方法は、更に、送信すべき該端末装置のダウンリンクデータがある場合、該第１アクセスネットワーク装置が該目標ページング領域において該端末装置に対してページングを開始することを含む。
【０００７】
選択肢として、ＲＡＮページングは更にセルシステムメッセージの変化によりトリガーされてもよい。
【０００８】
可能な実現方式では、送信すべき該端末装置のダウンリンクデータがある場合、該第１アクセスネットワーク装置が該目標ページング領域において該端末装置に対してページングを開始することは、該端末装置が無線リソース制御（ＲＲＣ）非アクティブ状態にあり且つ送信すべきダウンリンクデータがある場合、該第１アクセスネットワーク装置が該目標ページング領域において該端末装置に対してページングを開始することを含む。
【０００９】
選択肢として、ＲＲＣアイドル状態における端末装置によるページングはＲＡＮにより開始されてもよい。
【００１０】
可能な実現方式では、該第１アクセスネットワーク装置が端末装置のトラッキングエリアリストを取得することは、該第１アクセスネットワーク装置が該端末装置及び／又はコアネットワーク装置から送信された該トラッキングエリアリストを受信することを含む。
【００１１】
可能な実現方式では、該第１アクセスネットワーク装置が該端末装置及び／又はコアネットワーク装置から送信された該トラッキングエリアリストを受信する前に、該方法は、更に、該第１アクセスネットワーク装置が該端末装置及び／又は該コアネットワーク装置へ該トラッキングエリアリストの取得要求を送信することを含む。
【００１２】
可能な実現方式では、該第１アクセスネットワーク装置が該端末装置から送信された該トラッキングエリアリストを受信することは、該端末装置がトラッキングエリア更新又は付着過程を行うと、該第１アクセスネットワーク装置が該端末装置の取得した該トラッキングエリアリストを受信することを含む。
【００１３】
可能な実現方式では、該第１アクセスネットワーク装置が該端末装置から送信された該トラッキングエリアリストを受信することは、該第１アクセスネットワーク装置がＲＲＣシグナリングを介して該端末装置の取得した該トラッキングエリアリストを受信することを含む。
【００１４】
選択肢として、端末装置は更にＭＡＣシグナリング及びＤＣＩシグナリング等を介してアクセスネットワーク装置へ該端末装置のＴＡ  ｌｉｓｔを送信してもよい。
【００１５】
可能な実現方式では、該第１アクセスネットワーク装置が端末装置のトラッキングエリアリストを取得することは、該端末装置にネットワークサービスを提供するアクセスネットワーク装置が第２アクセスネットワーク装置から該第１アクセスネットワーク装置へ切り換えた場合、該第１アクセスネットワーク装置が該第２アクセスネットワーク装置から送信された該トラッキングエリアリストを受信することを含む。
【００１６】
可能な実現方式では、該トラッキングエリアリストが該端末装置のコンテクスト情報に含まれる。
【００１７】
可能な実現方式では、該方法は、更に、該端末装置が該目標ページング領域から移し出すと決定する際に該第１アクセスネットワーク装置が該端末装置にページング領域を再び構成するようにトリガーするために、該第１アクセスネットワーク装置が該端末装置へ該目標ページング領域の情報を送信することを含む。
【００１８】
第２態様では、ページング方法を提供し、該方法は、端末装置が該端末装置のトラッキングエリアリストを取得することと、該第１アクセスネットワーク装置が該第１アクセスネットワーク装置の該端末装置に対してページングを開始する目標ページング領域を決定するために、該端末装置が第１アクセスネットワーク装置へ該トラッキングエリアリストを送信することと、を含む。
【００１９】
可能な実現方式では、該端末装置が該端末装置のトラッキングエリアリストを取得することは、該端末装置がトラッキングエリア更新又は付着過程を行うとき、該トラッキングエリアリストを取得することを含む。
【００２０】
可能な実現方式では、該端末装置が第１アクセスネットワーク装置へ該端末装置のトラッキングエリアリストを送信する前に、該方法は、更に、該端末装置が該第１アクセスネットワーク装置から送信された該トラッキングエリアリストの取得要求を受信することを含む。
【００２１】
可能な実現方式では、該端末装置が第１アクセスネットワーク装置へ該トラッキングエリアリストを送信することは、該端末装置が該トラッキングエリアリストを取得すると、該端末装置が該第１アクセスネットワーク装置へ該トラッキングエリアリストを送信することを含む。
【００２２】
可能な実現方式では、該端末装置が第１アクセスネットワーク装置へ該トラッキングエリアリストを送信することは、該端末装置が無線リソース制御（ＲＲＣ）シグナリングを介して該第１アクセスネットワーク装置へ該トラッキングエリアリストを送信することを含む。
【００２３】
可能な実現方式では、該方法は、更に、該端末装置がＲＲＣ非アクティブ状態にある場合、該端末装置が該第１アクセスネットワーク装置から送信された、送信すべき該端末装置のダウンリンクデータがあることを示すためのページングメッセージを受信することを含む。
【００２４】
可能な実現方式では、該方法は、更に、該端末装置が該第１アクセスネットワーク装置から送信された該目標ページング領域の情報を受信することと、該端末装置が該目標ページング領域の情報に基づき、該第１アクセスネットワーク装置が該端末装置にページング領域を再び割り当てるようにトリガーすることと、を含む。
【００２５】
第３態様では、ページング方法を提供し、該方法は、コアネットワーク装置が端末装置のトラッキングエリアリストを取得することと、前記第１アクセスネットワーク装置が前記第１アクセスネットワーク装置の前記端末装置に対してページングを開始する目標ページング領域を決定するために、前記コアネットワーク装置が第１アクセスネットワーク装置へ前記トラッキングエリアリストを送信することと、を含む。
【００２６】
可能な実現方式では、前記コアネットワーク装置が第１アクセスネットワーク装置へ前記トラッキングエリアリストを送信する前に、前記方法は、更に、前記コアネットワーク装置が前記第１アクセスネットワーク装置から送信された、前記トラッキングエリアリストを取得する情報を受信することを含む。
【００２７】
第４態様では、アクセスネットワーク装置を提供し、該アクセスネットワーク装置は上記第１態様又は第１態様のいずれか１つの可能な実現方式における方法を実行することに用いられる。具体的に、該アクセスネットワーク装置は上記第１態様又は第１態様のいずれか１つの可能な実現方式における方法を実行するためのユニットを備える。
【００２８】
第５態様では、端末装置を提供し、該端末装置は上記第２態様又は第２態様のいずれか１つの可能な実現方式における方法を実行することに用いられる。具体的に、該端末装置は上記第２態様又は第２態様のいずれか１つの可能な実現方式における方法を実行するためのユニットを備える。
【００２９】
第６態様では、コアネットワーク装置を提供し、該コアネットワーク装置は上記第３態様又は第３態様のいずれか１つの可能な実現方式における方法を実行することに用いられる。具体的に、該コアネットワーク装置は上記第３態様又は第３態様のいずれか１つの可能な実現方式における方法を実行するためのユニットを備える。
【００３０】
第７態様では、アクセスネットワーク装置を提供し、該アクセスネットワーク装置はメモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第１態様又は第１態様のいずれか１つの可能な実現方式における方法を実行することに用いられる。
【００３１】
第８態様では、端末装置を提供し、該端末装置はメモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第２態様又は第２態様のいずれか１つの可能な実現方式における方法を実行することに用いられる。
【００３２】
第９態様では、コアネットワーク装置を提供し、該コアネットワーク装置はメモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第３態様又は第３態様のいずれか１つの可能な実現方式における方法を実行することに用いられる。
【００３３】
第１０態様では、コンピュータ記憶媒体を提供し、該コンピュータ記憶媒体は上記第１態様又は第１態様のいずれか１つの可能な実現方式における方法、又は上記第２態様又は第２態様のいずれか１つの可能な実現方式における方法、又は上記第３態様又は第３態様のいずれか１つの可能な実現方式における方法を実行するために用いる、上記各態様を実行するために設計したプログラムを含むコンピュータソフトウェア命令を記憶することに用いられる。
【００３４】
第１１態様では、命令を含むコンピュータプログラム製品を提供し、該コンピュータプログラム製品がコンピュータにおいて実行されるとき、コンピュータが上記第１態様又は第１態様のいずれか１つの可能な実現方式における方法、又は上記第２態様又は第２態様のいずれか１つの可能な実現方式における方法、又は上記第３態様又は第３態様のいずれか１つの可能な実現方式における方法を実行する。
【００３５】
本願のこれらの態様又は他の態様は以下の実施例の説明において明らかになる。
【図面の簡単な説明】
【００３６】
【図１】図１は本願の実施例の応用シーンの模式図である。
【図２】図２は本願の実施例のページング方法の模式的なブロック図である。
【図３】図３はＥＰＳベアラサービスアーキテクチャの模式的なブロック図である。
【図４】図４は本願の実施例のページング方法の他の模式的なブロック図である。
【図５】図５は本願の実施例のページング方法のまた他の模式的なブロック図である。
【図６】図６は本願の実施例のアクセスネットワーク装置の模式的なブロック図である。
【図７】図７は本願の実施例の端末装置の模式的なブロック図である。
【図８】図８は本願の実施例のコアネットワーク装置の模式的なブロック図である。
【図９】図９は本願の実施例のアクセスネットワーク装置の他の模式的なブロック図である。
【図１０】図１０は本願の実施例の端末装置の他の模式的なブロック図である。
【図１１】図１１は本願の実施例のコアネットワーク装置の他の模式的なブロック図である。
【発明を実施するための形態】
【００３７】
以下、本願の実施例の図面を参照しながら、本願の実施例の技術案を明確且つ完全に説明する。
【００３８】
理解されるべきように、本願の実施例の技術案は様々な通信システム、例えば、モバイル通信用グローバル（ＧＳＭ（登録商標）、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ、Ｎｅｗ  Ｒａｄｉｏ）又は将来の５Ｇシステム等に適用されてもよい。
【００３９】
特に、本願の実施例の技術案は非直交多元アクセス技術に基づく様々な通信システム、例えば疎コード多重アクセス（ＳＣＭＡ、Ｓｐａｒｓｅ  Ｃｏｄｅ  Ｍｕｌｔｉｐｌｅ  Ａｃｃｅｓｓ）システム、低密度シグネチャ（ＬＤＳ、Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いたマルチキャリア伝送システム、例えば非直交多元アクセス技術を用いた直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ、Ｆｉｌｔｅｒ  Ｂａｎｋ  Ｍｕｌｔｉ−Ｃａｒｒｉｅｒ）、汎用周波数分割多重（ＧＦＤＭ、Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ、Ｆｉｌｔｅｒｅｄ−ＯＦＤＭ）システム等に適用されてもよい。
【００４０】
本願の実施例における端末装置はユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本願の実施例は制限しない。
【００４１】
本願の実施例におけるアクセスネットワーク装置は端末装置と通信するための装置であってもよく、該ネットワーク装置はＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  ＮｏｄｅＢ）であってもよく、更にクラウド無線アクセスネットワーク（ＣＲＡＮ、Ｃｌｏｕｄ  Ｒａｄｉｏ  Ａｃｃｅｓｓ  Ｎｅｔｗｏｒｋ）シーンにおける無線制御装置であってもよく、又は、該ネットワーク装置は中継所、アクセスポイント、車載装置、ウェアラブル端末及び将来の５Ｇネットワークにおけるネットワーク装置又は将来発展するＰＬＭＮネットワークにおけるネットワーク装置等であってもよく、本願の実施例は制限しない。
【００４２】
本願の実施例におけるコアネットワーク装置はモビリティ管理エンティティ（ＭＭＥ、Ｍｏｂｉｌｉｔｙ  Ｍａｎａｇｅｍｅｎｔ  Ｅｎｔｉｔｙ）であってもよく、サービングゲートウェイ（Ｓ−ＧＷ、Ｓｅｒｖｉｎｇ  Ｇａｔｅｗａｙ）又はパケットデータネットワークゲートウェイ（Ｐ−ＧＷ、Ｐａｃｋｅｔ  Ｄａｔａ  Ｎｅｔｗｏｒｋ  Ｇａｔｅｗａｙ）等であってもよく、本願の実施例はこれらに限らない。
【００４３】
図１は本願の実施例の応用シーンの模式図である。図１に示すように、ＬＴＥのシステムアーキテクチャはＭＭＥ／Ｓ−ＧＷ及びｅＮｏｄｅＢの２つの部分に分けられる。ｅＮｏｄｅＢとＵＥとがＵｕインターフェースを介して接続され、ＵＥへの制御プレーン及びユーザープレーンのプロトコル終了点を提供する。ｅＮｏｄｅＢ同士がＸ２インターフェースを介して接続され、且つ通信すべき２つの異なるｅＮｏｄｅＢの間に常にＸ２インターフェースがある。ＬＴＥアクセスネットワークとコアネットワークとがＳ１インターフェースを介して接続され、Ｓ１インターフェースが多重−多重接続方式をサポートする。
【００４４】
一般的に、後続のシグナリング又はデータ伝送を行うために、ページングの主な目的はＵＥから進化型パケットコアネットワーク（ＥＰＣ、Ｅｖｏｌｖｅｄ  Ｐａｃｋｅｔ  Ｃｏｒｅ）までのシグナリング接続を確立することである。５Ｇシステムにおいて、端末装置のダウンリンクデータが到達する場合、コアネットワーク（ＣＮ、Ｃｏｒｅ  Ｎｅｔｗｏｒｋ）経由で端末装置に対してページングを行ってもよく、ＲＡＮ経由で端末装置に対してページングを行ってもよい。
【００４５】
図２は本願の実施例のページング方法１００の模式的なブロック図である。図２に示すように、前記方法１００は以下の一部又は全部を含む。
【００４６】
Ｓ１１０、第１アクセスネットワーク装置は端末装置のトラッキングエリアリストを取得する。
【００４７】
Ｓ１２０、第１アクセスネットワーク装置は該トラッキングエリアリストに基づき、該第１アクセスネットワーク装置が該端末装置に対してページングを開始する目標ページング領域を決定する。
【００４８】
所謂トラッキングエリア（ＴＡ、Ｔｒａｃｋｉｎｇ  Ａｒｅａ）は通信システムにおける端末の位置管理に対して確立した概念である。複数のＴＡが１つのＴＡリスト（ＴＡ  ｌｉｓｔ）を構成するとともに、１つの端末に割り当て、端末が該ＴＡ  Ｌｉｓｔにおいて移動する際にＴＡ更新を実行する必要がなく、それによりネットワークとの頻繁なインタラクションを減少させ、ＵＥが未登録のＴＡ  Ｌｉｓｔにおける新しいＴＡに入る場合、ＴＡ更新を実行する必要があり、コアネットワークが端末にＴＡ  ｌｉｓｔを再び割り当て、新しく割り当てたＴＡ  ｌｉｓｔには元のＴＡ  ｌｉｓｔにおけるいくつかのＴＡが含まれてもよい。端末がアイドル状態にある場合、コアネットワークは端末の位置するトラッキングエリアを把握することができるとともに、アイドル状態にある端末がページングされる必要がある場合、コアネットワークは端末の登録したトラッキングエリアのすべてのセル、すなわち端末のＴＡ  ｌｉｓｔにおけるすべてのセルにおいてページングを行わなければならない。
【００４９】
ＲＡＮページングに対して、アクセスネットワーク装置はまず端末装置に１つのページング領域を決定する必要がある。端末装置が該ページング領域内に移動する場合、端末装置がネットワーク側に通知しなくてもよく、端末装置が該ページング領域においてセルの再選択を直接行ってもよい。端末装置が該ページング領域から移し出す場合、端末装置はアクセスネットワーク装置が端末装置に１つの新しいページング領域を再び構成するようにトリガーする必要がある。具体的に、アクセスネットワーク装置は端末装置のＴＡ  ｌｉｓｔを参照してもよく、すなわち、コアネットワークの制御領域範囲において端末装置に１つの適切なページング領域を選択してもよい。
【００５０】
従って、本願の実施例のページング方法によれば、アクセスネットワーク装置は端末装置のＴＡ  ｌｉｓｔを参照して１つのより適切なＲＡＮページングのためのページング領域を決定することができ、それによりシグナリングオーバーヘッドの低減に役立つ。
【００５１】
選択肢として、本願の実施例において、該方法は、更に、送信すべき該端末装置のダウンリンクデータがある場合、該第１アクセスネットワーク装置が該目標ページング領域において該端末装置に対してページングを開始することを含む。
【００５２】
当業者であれば意識できるように、ページングはデータによりトリガーされてもよく、セルシステムメッセージの変化によりトリガーされてもよい。ところが、よく言われるページングは主にデータによりトリガーされるページングを指す。具体的に、アクセスネットワーク装置は伝送すべきダウンリンクデータがあることを把握した場合、アクセスネットワーク装置は決定された目標ページング領域において対応する端末装置に対してページングを直接開始してもよい。例えば、ダウンリンクデータがアクセスネットワーク装置に到達する場合、アクセスネットワーク装置は対応する端末装置へページングメッセージを送信してもよく、ページングメッセージに該端末装置の識別子を含ませてもよく、更に、例えば、ダウンリンクデータがコアネットワーク装置に到達する場合、コアネットワーク装置は一時的に該ダウンリンクデータをアクセスネットワーク装置に送信せずに、伝送すべき該端末装置のダウンリンクデータがあることを示す１つの指示情報をアクセスネットワーク装置に送信してもよく、アクセスネットワーク装置は該指示情報を受信した後、該端末装置へページングメッセージを送信することが可能になる。本願の実施例において、アクセスネットワーク装置がページングを開始するようにトリガーする条件は制限されない。
【００５３】
選択肢として、本願の実施例において、送信すべき該端末装置のダウンリンクデータがある場合、該第１アクセスネットワーク装置が該目標ページング領域において該端末装置に対してページングを開始することは、該端末装置が無線リソース制御（ＲＲＣ、Ｒａｄｉｏ  Ｒｅｓｏｕｒｃｅ  Ｃｏｎｔｒｏｌ）非アクティブ状態にあり且つ送信すべきダウンリンクデータがある場合、該第１アクセスネットワーク装置が該目標ページング領域において該端末装置に対してページングを開始することを含む。
【００５４】
本願の実施例をよく理解するために、まず図３を参照しながら発展型パケットシステム（ＥＰＳ、Ｅｖｏｌｖｅｄ  Ｐａｃｋｅｔ  Ｓｙｓｔｅｍ）ベアラサービスアーキテクチャにおけるいくつかの要素を簡単に説明する。図３に示すように、該ネットワークアーキテクチャは主に進化型ユニバーサル移動体通信システム地上無線アクセスネットワーク（Ｅ−ＵＴＲＡＮ、Ｅｖｏｌｖｅｄ  −Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｅｓｔｒｉａｌ  Ｒａｄｉｏ  Ａｃｃｅｓｓ  Ｎｅｔｗｏｒｋ）及び進化型パケットコアネットワーク（ＥＰＣ、Ｅｖｏｌｖｅｄ  Ｐａｃｋｅｔ  Ｃｏｒｅ）を含む。ＥＰＳベアラのサービスアーキテクチャシステムにおいて、エンドツーエンドサービスはＥＰＳベアラ及び外部ベアラの２つの部分に分解されてもよい。１つの進化型無線アクセスベアラ（Ｅ−ＲＡＢ、Ｅｖｏｌｖｅｄ  Ｒａｄｉｏ  Ａｃｃｅｓｓ  Ｂｅａｒｅｒ）はＵＥと進化型ＥＰＣとの間に１つのＥＰＳベアラのパケットを伝送することに用いられ、Ｅ−ＲＡＢとＥＰＳベアラとが１対１に対応する関係を有する。１つの無線ベアラはＵＥとｅＮｏｄｅＢとの間に１つのＥ−ＲＡＢベアラのパケットを伝送することに用いられ、無線ベアラとＥ−ＲＡＢ／ＥＰＳベアラとが１対１に対応する関係を有する。１つのＳ１ベアラはｅＮｏｄｅＢと１つのＳ−ＧＷとの間に１つのＥ−ＲＡＢベアラのパケットを伝送することに用いられる。１つのＳ５／Ｓ８ベアラはＳ−ＧＷとＰ−ＧＷとの間に１つのＥＰＳベアラのパケットを伝送することに用いられる。
【００５５】
ＬＴＥシステムにおいて、ＵＥのＲＲＣ状態は主にＲＲＣアイドル状態及びＲＲＣ接続状態を含む。ＲＲＣアイドル状態において、Ｓ５／Ｓ８ベアラがあるが、無線ベアラ及びＳ１ベアラがなく、コアネットワーク側がＵＥコンテクストを保持し、ｅＮｏｄｅＢ及びＵＥがそれぞれのコンテクストを保持せず、端末がタイミングアドバンス（ＴＡ、Ｔｉｍｅ  ａｄｖａｎｃｅ）内の唯一の識別子（一般的に一時的移動体加入者識別子（ＴＭＳＩ、Ｔｅｍｐｏｒａｒｙ  Ｍｏｂｉｌｅ  Ｓｕｂｓｃｒｉｂｅｒ  Ｉｄｅｎｔｉｔｙ））を保持する。ＲＲＣアイドル状態にあるＵＥは、ネットワークとのデータインタラクション、非アクセス層（ＮＡＳ、Ｎｏｎ−ａｃｃｅｓｓ  ｓｔｒａｔｕｍ）に構成された間欠受信（ＤＲＸ、Ｄｉｓｃｏｎｔｉｎｕｏｕｓ  Ｒｅｃｅｐｔｉｏｎ）過程、システム情報の放送及びページング、隣接セルの測定、セル再選択の移動性、測定レポートのない報告等の挙動があることができない。ＲＲＣ接続状態において、Ｓ５／Ｓ８ベアラ、Ｓ１ベアラ及び無線ベアラがあり、コアネットワーク、ｅＮｏｄｅＢ及びＵＥがいずれも対応するコンテクストを保持し、ｅＮｏｄｅＢがアクセス層（ＡＳ、ａｃｃｅｓｓ  ｓｔｒａｔｕｍ）識別子（一般的にセル無線ネットワークのテンポラリ識別子（Ｃ−ＲＮＴＩ、Ｃｅｌｌ  Ｒａｄｉｏ  Ｎｅｔｗｏｒｋ  Ｔｅｍｐｏｒａｒｙ  Ｉｄｅｎｔｉｆｉｅｒ））を割り当てる。ＲＲＣ接続状態にあるＵＥはネットワークとデータをインタラクションすることができ、ＡＳに構成されたＤＲＸ、切り換えの移動性、チャネル測定をネットワーク側に報告するといった挙動がある可能性がある。
【００５６】
５Ｇシステムには第３種類の状態、すなわちＲＲＣ非アクティブ状態が導入されている。ＲＲＣ非アクティブ状態において、Ｓ５／Ｓ８ベアラ、Ｓ１ベアラ及び一部の無線ベアラがあり、コアネットワーク、ｅＮｏｄｅＢ及びＵＥがいずれも対応するコンテクストを保持し、ｅＮｏｄｅＢがアクセス層ＡＳ識別子（一般的に回復（Ｒｅｓｕｍｅ）識別子（ＩＤ、ｉｄｅｎｔｉｆｉｃａｔｉｏｎ））を割り当てる。ＲＲＣ非アクティブ状態にあるＵＥはセル再選択の移動性を有するが、測定報告を行わず、スモールデータの送信及び受信を行うことができ、ＡＳに構成されたＤＲＸがある可能性がある。
【００５７】
一般的に、ＲＲＣアイドル状態における端末装置によるページングはＣＮにより開始されてもよく、ページング領域もＣＮにより構成されるが、ＲＲＣ非アクティブ状態における端末装置によるページングはＲＡＮにより開始されてもよく、ページング領域はＲＡＮにより構成されてもよい。しかしながら、本願の実施例はこれに限らず、例えば、ＲＲＣアイドル状態における端末装置によるページングはＲＡＮにより開始されてもよい。
【００５８】
選択肢として、本願の実施例において、該第１アクセスネットワーク装置が端末装置のトラッキングエリアリストを取得することは、該第１アクセスネットワーク装置が該端末装置及び／又はコアネットワーク装置から送信された該トラッキングエリアリストを受信する。
【００５９】
以上に言及したとおり、端末装置そのものにそのＴＡ  ｌｉｓｔが記憶されてもよく、コアネットワーク装置が端末装置のＴＡ  ｌｉｓｔも把握でき、そうすると端末装置及び／又はコアネットワーク装置は端末装置のＴＡ  ｌｉｓｔをアクセスネットワーク装置に送信することができる。すなわち、アクセスネットワーク装置は端末装置及び／又はコアネットワーク装置から端末装置のＴＡ  ｌｉｓｔを取得することができる。
【００６０】
選択肢として、端末装置はＲＲＣシグナリング、媒体アクセス制御（ＭＡＣ、Ｍｅｄｉａ  Ａｃｃｅｓｓ  Ｃｏｎｔｒｏｌ）シグナリング及びダウンリンク制御情報（ＤＣＩ、Ｄｏｗｎｌｏａｄ  Ｃｏｎｔｒｏｌ  Ｉｎｆｏｒｍａｔｉｏｎ）等のうちの少なくとも１つを介してアクセスネットワーク装置へ該端末装置のＴＡ  ｌｉｓｔを送信することができる。
【００６１】
選択肢として、本願の実施例において、該第１アクセスネットワーク装置が該端末装置及び／又はコアネットワーク装置から送信された該トラッキングエリアリストを受信する前に、該方法は、更に、該第１アクセスネットワーク装置が該端末装置及び／又は該コアネットワーク装置へ該トラッキングエリアリストの取得要求を送信することを含む。
【００６２】
例えば、アクセスネットワーク装置は端末装置がＲＲＣ接続状態にある場合、端末装置及び／又はコアネットワーク装置に該端末装置のＴＡ  ｌｉｓｔを取得するように要求することができる。アクセスネットワーク装置は端末装置がＲＲＣ非アクティブ状態にある場合、コアネットワーク装置に該端末装置のＴＡ  ｌｉｓｔを取得するように要求することもできる。更に、例えば、アクセスネットワーク装置は更に端末装置に対してページングを行う必要がある場合しか、端末装置／又はコアネットワーク装置に該端末装置のＴＡ  ｌｉｓｔを取得するように要求することができない。アクセスネットワーク装置が具体的にいつ端末装置及び／又はコアネットワーク装置に該端末装置のＴＡ  ｌｉｓｔを要求するかについては、本願の実施例では制限しない。
【００６３】
選択肢として、本願の実施例において、前記第１アクセスネットワーク装置が前記端末装置から送信された前記トラッキングエリアリストを受信することは、前記端末装置がトラッキングエリア更新又は付着過程を行うと、前記第１アクセスネットワーク装置が前記端末装置の取得した前記トラッキングエリアリストを受信することを含む。
【００６４】
一般的に、端末装置は付着過程又はトラッキングエリア更新（ＴＡＵ、ＴＡ  Ｕｐｄａｔｅ）によって端末装置のＴＡ  ｌｉｓｔを取得し、端末装置はそのＴＡ  ｌｉｓｔを取得したとき、該ＴＡ  ｌｉｓｔをアクセスネットワーク装置に自発的に送信することができる。すなわち、端末装置は付着過程又はＴＡＵ過程によってアクセスネットワーク装置へＴＡ  ｌｉｓｔを送信するようにトリガーしてもよいが、アクセスネットワーク装置が端末装置にＴＡ  ｌｉｓｔを要求する必要がない。
【００６５】
選択肢として、端末装置は付着過程又はＴＡＵ過程によってそのＴＡ  ｌｉｓｔを取得した後、自発的に送信せずに、アクセスネットワーク装置が要求した後、アクセスネットワーク装置へその取得したＴＡ  ｌｉｓｔを送信してもよい。
【００６６】
選択肢として、本願の実施例において、該第１アクセスネットワーク装置が端末装置のトラッキングエリアリストを取得することは、該端末装置にネットワークサービスを提供するアクセスネットワーク装置が第２アクセスネットワーク装置から該第１アクセスネットワーク装置へ切り換えた場合、該第１アクセスネットワーク装置が該第２アクセスネットワーク装置から送信された該トラッキングエリアリストを受信することを含む。
【００６７】
端末装置がソースセルからターゲットセルへ移動した場合、ソースセルのアクセスネットワーク装置は該端末装置のＴＡ  ｌｉｓｔをターゲットセルのアクセスネットワーク装置に送信することができる。ターゲットセルのアクセスネットワーク装置はソースセルのアクセスネットワーク装置から該端末装置のＴＡ  ｌｉｓｔを取得せずに、端末装置又はコアネットワーク装置から直接取得することもできる。具体的に、ターゲットセルのアクセスネットワーク装置は端末装置、ソースセルのアクセスネットワーク装置及びコアネットワーク装置のうちのいずれか１つに該端末装置のＴＡ  ｌｉｓｔを要求することができる。
【００６８】
選択肢として、端末装置、ソースセルのアクセスネットワーク装置及びコアネットワーク装置のうちのいずれか１つは、該端末装置のＴＡ  ｌｉｓｔを端末装置のコンテクストとしてターゲットセルのアクセスネットワーク装置に送信することができる。
【００６９】
選択肢として、本願の実施例において、該方法は、更に、該端末装置が該目標ページング領域から移し出すと決定する際に、該第１アクセスネットワーク装置が該端末装置にページング領域を再び構成するようにトリガーするために、該第１アクセスネットワーク装置が該端末装置へ該目標ページング領域の情報を送信することを含む。
【００７０】
以上に言及したとおり、端末装置はアクセスネットワーク装置に構成されたページング領域の情報に基づいて端末装置が該ページング領域範囲内にあるかどうかを判断することができ、ＹＥＳの場合、端末装置はアクセスネットワーク装置に通知せずに、セル切り換えを直接行えばよく、ＮＯの場合、端末装置はアクセスネットワーク装置に通知する必要があり、これにより、アクセスネットワーク装置は端末装置に新しいページング領域を再び構成することができる。
【００７１】
図４は本願の実施例のページング方法２００の模式的なブロック図である。図４に示すように、該方法２００は以下の一部又は全部を含む。
【００７２】
Ｓ２１０、端末装置が該端末装置のトラッキングエリアリストを取得する。
【００７３】
Ｓ２２０、該第１アクセスネットワーク装置が該第１アクセスネットワーク装置の該端末装置に対してページングを開始する目標ページング領域を決定するために、該端末装置が第１アクセスネットワーク装置へ該トラッキングエリアリストを送信する。
【００７４】
従って、本願の実施例のページング方法によれば、端末装置がＴＡ  ｌｉｓｔを報告することにより、アクセスネットワーク装置が１つのより適切なＲＡＮページングのためのページング領域を決定することができ、それによりシグナリングオーバーヘッドの低減に役立つ。
【００７５】
選択肢として、本願の実施例において、該端末装置が該端末装置のトラッキングエリアリストを取得することは、該端末装置がトラッキングエリア更新又は付着過程を行うとき、該トラッキングエリアリストを取得することを含む。
【００７６】
選択肢として、本願の実施例において、該端末装置が第１アクセスネットワーク装置へ該端末装置のトラッキングエリアリストを送信する前に、該方法は、更に、該端末装置が該第１アクセスネットワーク装置から送信された該トラッキングエリアリストの取得要求を受信することを含む。
【００７７】
選択肢として、本願の実施例において、該端末装置が第１アクセスネットワーク装置へ該トラッキングエリアリストを送信することは、該端末装置が該トラッキングエリアリストを取得すると、該端末装置が該第１アクセスネットワーク装置へ該トラッキングエリアリストを送信することを含む。
【００７８】
選択肢として、本願の実施例において、該端末装置が第１アクセスネットワーク装置へ該トラッキングエリアリストを送信することは、該端末装置が無線リソース制御（ＲＲＣ）シグナリングを介して該第１アクセスネットワーク装置へ該トラッキングエリアリストを送信することを含む。
【００７９】
選択肢として、本願の実施例において、該方法は、更に、該端末装置がＲＲＣ非アクティブ状態にある場合、該端末装置が該第１アクセスネットワーク装置から送信された、送信すべき該端末装置のダウンリンクデータがあることを示すためのページングメッセージを受信することを含む。
【００８０】
選択肢として、本願の実施例において、該方法は、更に、該端末装置が該第１アクセスネットワーク装置から送信された該目標ページング領域の情報を受信することと、該端末装置が該目標ページング領域の情報に基づき、該第１アクセスネットワーク装置が該端末装置にページング領域を再び割り当てるようにトリガーすることと、を含む。
【００８１】
理解されるべきように、端末装置に説明される端末装置及びアクセスネットワーク装置のインタラクション及び関連特性、機能等はアクセスネットワーク装置の関連特性、機能に対応する。すなわち、端末装置がアクセスネットワーク装置へどんな情報を送信するかに応じて、アクセスネットワーク装置が情報を受信する。簡潔のため、ここで詳細な説明は省略する。
【００８２】
更に理解されるべきように、本願の様々な実施例において、上記各過程の番号の順位は実行順序の前後を意味せず、各過程の実行順序はその機能及び内部論理によって決定されるべきであり、本願の実施例の実施過程を制限するためのものではない。
【００８３】
図５は本願の実施例のページング方法３００の模式的なブロック図である。図５に示すように、該方法３００は以下の一部又は全部を含む。
【００８４】
Ｓ３１０、コアネットワーク装置が端末装置のトラッキングエリアリストを取得し、
Ｓ３２０、該第１アクセスネットワーク装置が該第１アクセスネットワーク装置の該端末装置に対してページングを開始する目標ページング領域を決定するために、該コアネットワーク装置が第１アクセスネットワーク装置へ該トラッキングエリアリストを送信する。
【００８５】
従って、本願の実施例のページング方法によれば、コアネットワーク装置がＴＡ  ｌｉｓｔを報告することにより、アクセスネットワーク装置が１つのより適切なＲＡＮページングのためのページング領域を決定することができ、それによりシグナリングオーバーヘッドの低減に役立つ。
【００８６】
選択肢として、本願の実施例において、該コアネットワーク装置が第１アクセスネットワーク装置へ該トラッキングエリアリストを送信する前に、該方法は、更に、該コアネットワーク装置が該第１アクセスネットワーク装置から送信された、該トラッキングエリアリストを取得する情報を受信することを含む。
【００８７】
理解されるべきように、コアネットワーク装置に説明されるコアネットワーク装置及びアクセスネットワーク装置のインタラクション及び関連特性、機能等はアクセスネットワーク装置の関連特性、機能に対応する。すなわち、コアネットワーク装置がアクセスネットワーク装置へどんな情報を送信するかに応じて、アクセスネットワーク装置が情報を受信する。簡潔のため、ここで詳細な説明は省略する。
【００８８】
更に理解されるべきように、本願の様々な実施例において、上記各過程の番号の順位は実行順序の前後を意味せず、各過程の実行順序はその機能及び内部論理によって決定されるべきであり、本願の実施例の実施過程を制限するためのものではない。
【００８９】
以上は本願の実施例に係るページング方法を詳しく説明したが、以下に図６〜図１１を参照しながら、本願の実施例に係るページング装置を説明し、方法実施例に説明される技術的特徴は以下の装置実施例に適用される。
【００９０】
図６は本願の実施例のアクセスネットワーク装置４００の模式的なブロック図である。該アクセスネットワーク装置は第１アクセスネットワーク装置であり、図６に示すように、該アクセスネットワーク装置４００は、
端末装置のトラッキングエリアリストを取得するための取得ユニット４１０と、
該トラッキングエリアリストに基づき、該第１アクセスネットワーク装置が該端末装置に対してページングを開始する目標ページング領域を決定するための決定ユニット４２０と、を備える。
【００９１】
従って、本願の実施例のアクセスネットワーク装置は端末装置のＴＡ  ｌｉｓｔを参照して１つのより適切なＲＡＮページングのためのページング領域を決定することができ、それによりシグナリングオーバーヘッドの低減に役立つ。
【００９２】
選択肢として、本願の実施例において、該アクセスネットワーク装置は、更に、送信すべき該端末装置のダウンリンクデータがある場合、該目標ページング領域において該端末装置に対してページングを開始するためのページングユニットを備える。
【００９３】
選択肢として、本願の実施例において、該ページングユニットは、具体的に、該端末装置が無線リソース制御（ＲＲＣ）非アクティブ状態にあり且つ送信すべきダウンリンクデータがある場合、該目標ページング領域において該端末装置に対してページングを開始することに用いられる。
【００９４】
選択肢として、本願の実施例において、該取得ユニットは、具体的に、該端末装置及び／又はコアネットワーク装置から送信された該トラッキングエリアリストを受信することに用いられる。
【００９５】
選択肢として、本願の実施例において、該アクセスネットワーク装置は、更に、該端末装置及び／又は該コアネットワーク装置へ該トラッキングエリアリストの取得要求を送信するための第１送信ユニットを備える。
【００９６】
選択肢として、本願の実施例において、該取得ユニットは、具体的に、該端末装置がトラッキングエリア更新又は付着過程を行うと、該端末装置の取得した該トラッキングエリアリストを受信することに用いられる。
【００９７】
選択肢として、本願の実施例において、該取得ユニットは、具体的に、ＲＲＣシグナリングを介して該端末装置の取得した該トラッキングエリアリストを受信することに用いられる。
【００９８】
選択肢として、本願の実施例において、該取得ユニットは、具体的に、該端末装置にネットワークサービスを提供するアクセスネットワーク装置が第２アクセスネットワーク装置から該第１アクセスネットワーク装置へ切り換えた場合、該第２アクセスネットワーク装置から送信された該トラッキングエリアリストを受信することに用いられる。
【００９９】
選択肢として、本願の実施例において、該トラッキングエリアリストが該端末装置のコンテクスト情報に含まれる。
【０１００】
選択肢として、本願の実施例において、該アクセスネットワーク装置は、更に、該端末装置が該目標ページング領域から移し出すと決定する際に、該第１アクセスネットワーク装置が該端末装置にページング領域を再び構成するようにトリガーするために、該端末装置へ該目標ページング領域の情報を送信するための第２送信ユニットを備える。
【０１０１】
理解されるべきように、本願の実施例に係るアクセスネットワーク装置４００は本願の方法実施例における第１アクセスネットワーク装置に対応してもよく、且つアクセスネットワーク装置４００における各ユニットの上記及び他の操作及び／又は機能はそれぞれ図２における方法における第１アクセスネットワーク装置の対応プロセスを実現するためのものであり、簡潔のため、ここで詳細な説明は省略する。
【０１０２】
図７は本願の実施例の端末装置５００の模式的なブロック図である。図７に示すように、該端末装置５００は、
該端末装置のトラッキングエリアリストを取得するための取得ユニット５１０と、
該第１アクセスネットワーク装置が該第１アクセスネットワーク装置の該端末装置に対してページングを開始する目標ページング領域を決定するために、第１アクセスネットワーク装置へ該トラッキングエリアリストを送信するための送信ユニット５２０と、を備える。
【０１０３】
従って、本願の実施例の端末装置はＴＡ  ｌｉｓｔを報告することにより、アクセスネットワーク装置が１つのより適切なＲＡＮページングのためのページング領域を決定することができ、それによりシグナリングオーバーヘッドの低減に役立つ。
【０１０４】
選択肢として、本願の実施例において、該取得ユニットは、具体的に、トラッキングエリア更新又は付着過程を行うとき、該トラッキングエリアリストを取得することに用いられる。
【０１０５】
選択肢として、本願の実施例において、該端末装置は、更に、該第１アクセスネットワーク装置から送信された該トラッキングエリアリストの取得要求を受信するための第１受信ユニットを備える。
【０１０６】
選択肢として、本願の実施例において、該送信ユニットは、具体的に、該端末装置が該トラッキングエリアリストを取得すると、該第１アクセスネットワーク装置へ該トラッキングエリアリストを送信することに用いられる。
【０１０７】
選択肢として、本願の実施例において、該送信ユニットは、具体的に、無線リソース制御（ＲＲＣ）シグナリングを介して該第１アクセスネットワーク装置へ該トラッキングエリアリストを送信することに用いられる。
【０１０８】
選択肢として、本願の実施例において、該端末装置は、更に、該端末装置がＲＲＣ非アクティブ状態にある場合、該第１アクセスネットワーク装置から送信された、送信すべき該端末装置のダウンリンクデータがあることを示すためのページングメッセージを受信するための第２受信ユニットを備える。
【０１０９】
選択肢として、本願の実施例において、該端末装置は、更に、該第１アクセスネットワーク装置から送信された該目標ページング領域の情報を受信するための第３受信ユニットと、該目標ページング領域の情報に基づき、該第１アクセスネットワーク装置が該端末装置にページング領域を再び割り当てるようにトリガーするためのトリガーユニットと、を備える。
【０１１０】
理解されるべきように、本願の実施例に係る端末装置５００は本願の方法実施例における端末装置に対応してもよく、且つ端末装置５００における各ユニットの上記及び他の操作及び／又は機能はそれぞれ図４における方法における端末装置の対応プロセスを実現するためのものであり、簡潔のため、ここで詳細な説明は省略する。
【０１１１】
図８は本願の実施例のコアネットワーク装置６００の模式的なブロック図である。図８に示すように、該コアネットワーク装置６００は、
端末装置のトラッキングエリアリストを取得するための取得ユニット６１０と、
該第１アクセスネットワーク装置が該第１アクセスネットワーク装置の該端末装置に対してページングを開始する目標ページング領域を決定するために、第１アクセスネットワーク装置へ該トラッキングエリアリストを送信するための送信ユニット６２０と、を備える。
【０１１２】
従って、本願の実施例のコアネットワーク装置はＴＡ  ｌｉｓｔを報告することにより、アクセスネットワーク装置が１つのより適切なＲＡＮページングのためのページング領域を決定することができ、それによりシグナリングオーバーヘッドの低減に役立つ。
【０１１３】
選択肢として、本願の実施例において、該コアネットワーク装置は、更に、該第１アクセスネットワーク装置から送信された、該トラッキングエリアリストを取得する情報を受信するための受信ユニットを備える。
【０１１４】
理解されるべきように、本願の実施例に係るコアネットワーク装置６００は本願の方法実施例におけるコアネットワーク装置に対応してもよく、且つコアネットワーク装置６００における各ユニットの上記及び他の操作及び／又は機能はそれぞれ図５における方法におけるコアネットワーク装置の対応プロセスを実現するためのものであり、簡潔のため、ここで詳細な説明は省略する。
【０１１５】
図９に示すように、本願の実施例は更にアクセスネットワーク装置７００を提供し、該アクセスネットワーク装置７００は図２における方法１００に対応する第１アクセスネットワーク装置の内容を実行することのできる図６におけるアクセスネットワーク装置４００であってもよい。該アクセスネットワーク装置７００は入力インターフェース７１０、出力インターフェース７２０、プロセッサ７３０及びメモリ７４０を備え、該入力インターフェース７１０、出力インターフェース７２０、プロセッサ７３０及びメモリ７４０がバスシステムによって接続されてもよい。該メモリ７４０はプログラム、命令又はコードを記憶することに用いられる。入力インターフェース７１０が信号を受信し、出力インターフェース７２０が信号を送信するように制御し及び前述の方法実施例における操作を完了するために、該プロセッサ７３０は該メモリ７４０におけるプログラム、命令又はコードを実行することに用いられる。
【０１１６】
従って、本願の実施例のアクセスネットワーク装置は端末装置のＴＡ  ｌｉｓｔを参照して１つのより適切なＲＡＮページングのためのページング領域を決定することができ、それによりシグナリングオーバーヘッドの低減に役立つ。
【０１１７】
理解されるべきように、本願の実施例において、該プロセッサ７３０は中央処理装置（ＣＰＵ、Ｃｅｎｔｒａｌ  Ｐｒｏｃｅｓｓｉｎｇ  Ｕｎｉｔ）であってもよく、該プロセッサ７３０は更に他の汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１１８】
該メモリ７４０は読み出し専用メモリ及びランダムアクセスメモリを含んでもよく、且つプロセッサ７３０に命令及びデータを提供する。メモリ７４０の一部は更に不揮発性ランダムアクセスメモリを含んでもよい。例えば、メモリ７４０に更に装置タイプの情報が記憶されてもよい。
【０１１９】
実現過程において、上記方法の各内容はプロセッサ７３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ７４０に位置し、プロセッサ７３０はメモリ７４０における情報を読み取り、そのハードウェアと組み合わせて上記方法の内容を行う。重複を避けるため、ここで詳細な説明は省略する。
【０１２０】
１つの具体的な実施形態において、アクセスネットワーク装置４００のページングユニット、第１送信ユニットは図９における出力インターフェース７２０により実現されてもよく、アクセスネットワーク装置４００の取得ユニット及び決定ユニットは図９におけるプロセッサ７３０により実現されてもよい。
【０１２１】
図１０に示すように、本願の実施例は更に端末装置８００を提供し、該端末装置８００は図４における方法２００に対応する端末装置の内容を実行することのできる図７における端末装置５００であってもよい。該端末装置８００は入力インターフェース８１０、出力インターフェース８２０、プロセッサ８３０及びメモリ８４０を備え、該入力インターフェース８１０、出力インターフェース８２０、プロセッサ８３０及びメモリ８４０がバスシステムによって接続されてもよい。該メモリ８４０はプログラム、命令又はコードを記憶することに用いられる。入力インターフェース８１０が信号を受信し、出力インターフェース８２０が信号を送信するように制御し及び前述の方法実施例における操作を完了するために、該プロセッサ８３０は該メモリ８４０におけるプログラム、命令又はコードを実行することに用いられる。
【０１２２】
従って、本願の実施例の端末装置はＴＡ  ｌｉｓｔを報告することにより、アクセスネットワーク装置が１つのより適切なＲＡＮページングのためのページング領域を決定することができ、それによりシグナリングオーバーヘッドの低減に役立つ。
【０１２３】
理解されるべきように、本願の実施例において、該プロセッサ８３０は中央処理装置（ＣＰＵ、Ｃｅｎｔｒａｌ  Ｐｒｏｃｅｓｓｉｎｇ  Ｕｎｉｔ）であってもよく、該プロセッサ８３０は更に他の汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１２４】
該メモリ８４０は読み出し専用メモリ及びランダムアクセスメモリを含んでもよく、且つプロセッサ８３０に命令及びデータを提供する。メモリ８４０の一部は更に不揮発性ランダムアクセスメモリを含んでもよい。例えば、メモリ８４０に更に装置タイプの情報が記憶されてもよい。
【０１２５】
実現過程において、上記方法の各内容はプロセッサ８３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ８４０に位置し、プロセッサ８３０はメモリ８４０における情報を読み取り、そのハードウェアと組み合わせて上記方法の内容を行う。重複を避けるため、ここで詳細な説明は省略する。
【０１２６】
１つの具体的な実施形態において、端末装置５００の送信ユニットは図１０における出力インターフェース８２０により実現されてもよく、端末装置５００の第１受信ユニット乃至第３受信ユニットは図１０における入力インターフェース８１０により実現されてもよい。端末装置５００の取得ユニット及びトリガーユニットは図１０におけるプロセッサ８３０により実現されてもよい。
【０１２７】
図１１に示すように、本願の実施例は更にコアネットワーク装置９００を提供し、該コアネットワーク装置９００は図５における方法３００に対応するコアネットワーク装置の内容を実行することのできる図８におけるコアネットワーク装置６００であってもよい。該コアネットワーク装置９００は入力インターフェース９１０、出力インターフェース９２０、プロセッサ９３０及びメモリ９４０を備え、該入力インターフェース９１０、出力インターフェース９２０、プロセッサ９３０及びメモリ９４０がバスシステムによって接続されてもよい。該メモリ９４０はプログラム、命令又はコードを記憶することに用いられる。入力インターフェース９１０が信号を受信し、出力インターフェース９２０が信号を送信するように制御し及び前述の方法実施例における操作を完了するために、該プロセッサ９３０は該メモリ９４０におけるプログラム、命令又はコードを実行することに用いられる。
【０１２８】
従って、本願の実施例のコアネットワーク装置はＴＡ  ｌｉｓｔを報告することにより、アクセスネットワーク装置が１つのより適切なＲＡＮページングのためのページング領域を決定することができ、それによりシグナリングオーバーヘッドの低減に役立つ。
【０１２９】
理解されるべきように、本願の実施例において、該プロセッサ９３０は中央処理装置（ＣＰＵ、Ｃｅｎｔｒａｌ  Ｐｒｏｃｅｓｓｉｎｇ  Ｕｎｉｔ）であってもよく、該プロセッサ９３０は更に他の汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１３０】
該メモリ９４０は読み出し専用メモリ及びランダムアクセスメモリを含んでもよく、且つプロセッサ９３０に命令及びデータを提供する。メモリ９４０の一部は更に不揮発性ランダムアクセスメモリを含んでもよい。例えば、メモリ９４０に更に装置タイプの情報が記憶されてもよい。
【０１３１】
実現過程において、上記方法の各内容はプロセッサ９３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ９４０に位置し、プロセッサ９３０はメモリ９４０における情報を読み取り、そのハードウェアと組み合わせて上記方法の内容を行う。重複を避けるため、ここで詳細な説明は省略する。
【０１３２】
１つの具体的な実施形態において、コアネットワーク装置６００における送信ユニットは図１１における出力インターフェース９２０により実現されてもよく、コアネットワーク装置６００における受信ユニットは図１１における入力インターフェース９１０により実現されてもよい。コアネットワーク装置６００における取得ユニットは図１１におけるプロセッサ９３０により実現されてもよい。
【０１３３】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１３４】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０１３５】
本願に係るいくつかの実施例において、理解されるべきように、開示されるシステム、装置及び方法は他の方式で実現されてもよい。例えば、以上に説明される装置実施例は模式的なものに過ぎず、例えば、該ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３６】
分離部材として説明される該ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【０１３７】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１３８】
該機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１３９】
以上の説明は本願の具体的な実施形態に過ぎず、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020534721.tif 000003
【図２】
2020534721.tif 000004
【図３】
2020534721.tif 000005
【図４】
2020534721.tif 000006
【図５】
2020534721.tif 000007
【図６】
2020534721.tif 000008
【図７】
2020534721.tif 000009
【図８】
2020534721.tif 000010
【図９】
2020534721.tif 000011
【図１０】
2020534721.tif 000012
【図１１】
2020534721.tif 000013
【手続補正書】
【提出日】令和2年7月22日(2020.7.22)
【手続補正１】
【補正対象書類名】明細書
【補正対象項目名】００６０
【補正方法】変更
【補正の内容】
【００６０】
選択肢として、端末装置はＲＲＣシグナリング、媒体アクセス制御（ＭＡＣ、Ｍｅｄｉａ  Ａｃｃｅｓｓ  Ｃｏｎｔｒｏｌ）シグナリング及びダウンリンク制御情報（ＤＣＩ、Ｄｏｗｎｌｉｎｋ  Ｃｏｎｔｒｏｌ  Ｉｎｆｏｒｍａｔｉｏｎ）等のうちの少なくとも１つを介してアクセスネットワーク装置へ該端末装置のＴＡ  ｌｉｓｔを送信することができる。
【手続補正２】
【補正対象書類名】明細書
【補正対象項目名】０１２０
【補正方法】変更
【補正の内容】
【０１２０】
１つの具体的な実施形態において、アクセスネットワーク装置４００のページングユニット、第１送信ユニットと第２送信ユニットは図９における出力インターフェース７２０により実現されてもよく、アクセスネットワーク装置４００の取得ユニット及び決定ユニットは図９におけるプロセッサ７３０により実現されてもよい。
【手続補正３】
【補正対象書類名】特許請求の範囲
【補正対象項目名】全文
【補正方法】変更
【補正の内容】
【特許請求の範囲】
【請求項１】
ページング方法であって、
第１アクセスネットワーク装置は端末装置のトラッキングエリアリストを取得することと、
第１アクセスネットワーク装置は前記トラッキングエリアリストに基づき、前記第１アクセスネットワーク装置が前記端末装置に対してページングを開始する目標ページング領域を決定することと、を含むことを特徴とするページング方法。
【請求項２】
前記方法は、更に、
送信すべき前記端末装置のダウンリンクデータがある場合、前記第１アクセスネットワーク装置が前記目標ページング領域において前記端末装置に対してページングを開始することを含むことを特徴とする請求項１に記載の方法。
【請求項３】
送信すべき前記端末装置のダウンリンクデータがある場合、前記第１アクセスネットワーク装置が前記目標ページング領域において前記端末装置に対してページングを開始することは、
前記端末装置が無線リソース制御（ＲＲＣ）非アクティブ状態にあり且つ送信すべきダウンリンクデータがある場合、前記第１アクセスネットワーク装置が前記目標ページング領域において前記端末装置に対してページングを開始することを含むことを特徴とする請求項２に記載の方法。
【請求項４】
前記第１アクセスネットワーク装置が端末装置のトラッキングエリアリストを取得することは、
前記第１アクセスネットワーク装置が前記端末装置及び／又はコアネットワーク装置から送信された前記トラッキングエリアリストを受信することを含むことを特徴とする請求項１〜３のいずれか１項に記載の方法。
【請求項５】
前記第１アクセスネットワーク装置が前記端末装置及び／又はコアネットワーク装置から送信された前記トラッキングエリアリストを受信する前に、前記方法は、更に、
前記第１アクセスネットワーク装置が前記端末装置及び／又は前記コアネットワーク装置へ前記トラッキングエリアリストの取得要求を送信することを含むことを特徴とする請求項４に記載の方法。
【請求項６】
前記第１アクセスネットワーク装置が前記端末装置から送信された前記トラッキングエリアリストを受信することは、
前記端末装置がトラッキングエリア更新又は付着過程を行うと、前記第１アクセスネットワーク装置が前記端末装置の取得した前記トラッキングエリアリストを受信することを含むことを特徴とする請求項４に記載の方法。
【請求項７】
前記第１アクセスネットワーク装置が前記端末装置から送信された前記トラッキングエリアリストを受信することは、
前記第１アクセスネットワーク装置がＲＲＣシグナリングを介して前記端末装置の取得した前記トラッキングエリアリストを受信することを含むことを特徴とする請求項４〜６のいずれか１項に記載の方法。
【請求項８】
前記第１アクセスネットワーク装置が端末装置のトラッキングエリアリストを取得することは、
前記端末装置にネットワークサービスを提供するアクセスネットワーク装置が第２アクセスネットワーク装置から前記第１アクセスネットワーク装置へ切り換えた場合、前記第１アクセスネットワーク装置が前記第２アクセスネットワーク装置から送信された前記トラッキングエリアリストを受信することを含むことを特徴とする請求項１〜３のいずれか１項に記載の方法。
【請求項９】
前記トラッキングエリアリストが前記端末装置のコンテクスト情報に含まれることを特徴とする請求項８に記載の方法。
【請求項１０】
前記方法は、更に、
前記端末装置が前記目標ページング領域から移し出すと決定する際に、前記第１アクセスネットワーク装置が前記端末装置にページング領域を再び構成するようにトリガーするために、前記第１アクセスネットワーク装置が前記端末装置へ前記目標ページング領域の情報を送信することを含むことを特徴とする請求項１〜９のいずれか１項に記載の方法。
【請求項１１】
請求項１〜１０のいずれか１項に記載の方法を実行するアクセスネットワーク装置。
【請求項１２】
ページング方法であって、
コアネットワーク装置が端末装置のトラッキングエリアリストを取得することと、
第１アクセスネットワーク装置が前記第１アクセスネットワーク装置の前記端末装置に対してページングを開始する目標ページング領域を決定するために、前記コアネットワーク装置が前記第１アクセスネットワーク装置へ前記トラッキングエリアリストを送信することと、を含むことを特徴とするページング方法。
【請求項１３】
前記コアネットワーク装置が第１アクセスネットワーク装置へ前記トラッキングエリアリストを送信する前に、前記方法は、更に、
前記コアネットワーク装置が前記第１アクセスネットワーク装置から送信された、前記トラッキングエリアリストを取得する情報を受信することを含むことを特徴とする請求項１２に記載の方法。
【請求項１４】
コアネットワーク装置であって、
端末装置のトラッキングエリアリストを取得するための取得ユニットと、
第１アクセスネットワーク装置が前記第１アクセスネットワーク装置の前記端末装置に対してページングを開始する目標ページング領域を決定するために、前記第１アクセスネットワーク装置へ前記トラッキングエリアリストを送信するための送信ユニットと、を備えることを特徴とするコアネットワーク装置。
【請求項１５】
前記コアネットワーク装置は、更に、
前記第１アクセスネットワーク装置から送信された、前記トラッキングエリアリストを取得する情報を受信するための受信ユニットを備えることを特徴とする請求項１４に記載のコアネットワーク装置。
【国際調査報告】
2020534721.tif 000014
2020534721.tif 000015
2020534721.tif 000016
2020534721.tif 000017